(57)【特許請求の範囲】
【請求項１】
左右の躯体間の目地部に設けられた床用目地装置であって、前記左右の躯体に設けられた複数の支持部材と、前記左右の躯体に前後方向に所定間隔を有して複数個設けられたリンク機構と、該リンク機構の中央枢支部に枢支されると共に、前記支持部材に底面が支持される中央バー部材と、該中央バー部材に上下方向に移動可能に取り付けられ、かつ、目地部の中央部を覆う中央目地カバーと、前記リンク機構の端部枢支部に枢支されると共に、前記支持部材に底面が支持される一対の端部バー部材と、該一対の端部バー部材にその一端部がそれぞれ取り付けられ、かつ、押し上げ傾斜面を有する突出端部が前記中央目地カバーの左右の乗り上げ傾斜面を有する端部と互いに略当接すると共に、上面が中央目地カバーの上面と略水平状態となる左右一対の端部目地カバーと、前記中央目地カバーと前記一対の端部目地カバーの当接部位にそれぞれ設けられ、前記一対の端部目地カバーの突出端部の底面と中央目地カバーの左右の端部の底面を支持する左右一対の支持プレートとで構成され、
前記中央目地カバー、前記端部目地カバー及び前記支持プレートは、それぞれ前記支持部材に支持されており、地震によって目地部が狭くなるように左右の躯体が揺れ動いた場合に、前記中央目地カバーが上方へせり上がって揺れ動きを吸収することを特徴とする床用目地装置。
【請求項２】
前記左右の躯体と前記一対の支持プレートの躯体側の端部の間には、一対の端部目地カバーの底面をそれぞれ支持する一対の支持機構が更に設けられたことを特徴とする請求項１に記載の床用目地装置。
【請求項３】
前記一対の支持機構は、前記一方の躯体又は端部目地カバーにその一端部が取り付けられ、その他端部が前記支持プレートの一方の躯体側の端部に取り付けられた一方のリンク部材と、該一方のリンク部材の中央枢支部に枢支され、前記支持部材に底面が支持される一方の支持ローラー用バー部材と、該一方の支持ローラー用バー部材に固定され、その上端部が前記一対の端部目地カバーの一方の端部目地カバーの底面を支持する一方の支持ローラーと、前記他方の躯体又は端部目地カバーにその一端部が取り付けられ、その他端部が前記支持プレートの他方の躯体側の端部に取り付けられた他方のリンク部材と、該他方のリンク部材の中央枢支部に枢支され、前記支持部材に底面が支持される他方の支持ローラー用バー部材と、該他方の支持ローラー用バー部材に固定され、その上端部が前記一対の端部目地カバーの他方の端部目地カバーの底面を支持する他方の支持ローラーとから成ることを特徴とする請求項２に記載の床用目地装置。
【請求項４】
前記中央枢支部と端部枢支部の間の中間枢支部に枢支されると共に、前記支持部材に底面が支持される一対の中間バー部材を備え、前記一対の支持プレートは、該一対の中間バー部材にその中央部が枢支されると共に、その両端部が前記支持部材に支持されることを特徴とする請求項１乃至請求項３のいずれかに記載の床用目地装置。
【請求項５】
前記支持部材は、角パイプ状の支持筒と、該角パイプ状の支持筒に左右方向にスライド可能に挿入される支持アームとで構成され、複数の支持部材は、隣り合う支持部材が左右逆向きになるように取り付けられていること特徴とする請求項１乃至請求項４のいずれかに記載の床用目地装置。
【発明の詳細な説明】
【技術分野】
【０００１】
本発明は目地部を塞ぐ床用目地装置に関する。
【背景技術】
【０００２】
従来、躯体間の床部分の目地部を塞ぐ床用目地装置としては、「目地部を介して設けられた左右の床躯体の目地部側の床躯体に所定間隔で両端部が取付けられた複数個の伸縮できる目地カバー支持機構と、この複数個の目地カバー支持機構に支持された状態で取付けられた、少なくとも２個以上の先端部が重なり合う目地カバーを用いた目地カバー装置とからなる床用目地装置において、前記複数個の目地カバー支持機構を前記一方の目地部側床躯体に先端部が上下左右方向に回動できるように後端部が所定間隔で取付けられ、かつ前記目地部の幅寸法の半分以下の寸法の一方の支持アーム本体、この一方の支持アーム本体の内側面の上部寄りの部位に水平方向に形成された係止レール、この係止レールの下部位置に水平方向に形成されたガイドレール、前記一方の支持アーム本体の内側面の先端部の下部寄りの部位に取付けられた支持ローラとからなる複数個の一方の支持アームと、前記他方の目地部側床躯体に先端部が上下左右方向に回動できるように後端部が所定間隔で取付けられ、かつ前記目地部の幅寸法の半分以下の寸法の他方の支持アーム本体、この他方の支持アーム本体の内側面の上部寄りの部位に水平方向に形成された係止レール、この係止レールの下部位置に水平方向に形成されたガイドレール、前記他方の支持アーム本体の内側面の先端部の下部寄りの部位に取付けられた支持ローラとからなる複数個の他方の支持アームと、前記一方の支持アームおよび他方の支持アームの係止レールとそれぞれ係合する係合片および、前記一方の支持アームおよび他方の支持アームの下端部とそれぞれ係合する係合部を有し、かつ前記目地部の幅寸法の半分以下の寸法の中央支持アーム本体、この中央支持アーム本体の前記一方の支持アームのガイドレール上を転動する、該一方の支持アーム側に取付けられた一方の支持アーム支持用ローラ、前記中央支持アーム本体の前記他方の支持アームのガイドレール上を転動する、該他方の支持アーム側に取付けられた他方の支持アーム支持用ローラと、前記一方の支持アームの支持ローラおよび前記他方の支持アームの支持ローラが転動する、前記中央支持アーム本体の両側面に形成した一対のガイドレールとからなる複数個の中央支持アームと、この複数個の中央支持アームを前記目地部の中央部に位置させる、あるいは前記一方の支持アームおよび他方の支持アームから脱落するのを防止する中央支持アーム保持装置とで構成したことを特徴とする床用目地装置」（特許文献１）が知られている。
【０００３】
しかし、このような床用目地装置は、多数の目地カバーを用いることから、目地カバーの板厚によって上り傾斜、下り傾斜又は目地部の中央を頂点とする山型傾斜状の傾斜が生じていた。
【０００４】
例えば病院にこのような目地装置を用いた場合に、このような傾斜や目地カバーの板厚分の段差が生じることにより、車いすで通行する場合や点滴台を持ちながら通行する場合に、患者の負担となっていた。
【先行技術文献】
【特許文献】
【０００５】
【特許文献１】特開２０１５−０９８７５９号公報
【発明の概要】
【発明が解決しようとする課題】
【０００６】
本発明は以上のような従来の欠点に鑑み、目地カバーの上面を平坦にできると共に、地震による前後方向、左右方向の揺れ動きも吸収できる床用目地装置を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明の床用目地装置は、左右の躯体間の目地部に設けられた床用目地装置であって、前記左右の躯体に設けられた複数の支持部材と、前記左右の躯体に前後方向に所定間隔を有して複数個設けられたリンク機構と、該リンク機構の中央枢支部に枢支されると共に、前記支持部材に底面が支持される中央バー部材と、該中央バー部材に上下方向に移動可能に取り付けられ、かつ、目地部の中央部を覆う中央目地カバーと、前記リンク機構の端部枢支部に枢支されると共に、前記支持部材に底面が支持される一対の端部バー部材と、該一対の端部バー部材にその一端部がそれぞれ取り付けられ、かつ、押し上げ傾斜面を有する突出端部が前記中央目地カバーの左右の乗り上げ傾斜面を有する端部と互いに略当接すると共に、上面が中央目地カバーの上面と略水平状態となる左右一対の端部目地カバーと、前記中央目地カバーと前記一対の端部目地カバーの当接部位にそれぞれ設けられ、前記一対の端部目地カバーの突出端部の底面と中央目地カバーの左右の端部の底面を支持する左右一対の支持プレートとで構成され、前記中央目地カバー、前記端部目地カバー及び前記支持プレートは、それぞれ前記支持部材に支持されており、地震によって目地部が狭くなるように左右の躯体が揺れ動いた場合に、前記中央目地カバーが上方へせり上がって揺れ動きを吸収することを特徴とする。
【発明の効果】
【０００９】
以上の説明から明らかなように、本発明にあっては次に列挙する効果が得られる。
（１）請求項１に記載の発明においては、中央目地カバーの上面と一対の端部目地カバーの上面が略水平となるので、この上面が略平坦となり、車いすで通行する場合や点滴台を持ちながら通行する場合であっても、容易に通行することができる。
（２）地震によって目地部が狭くなるように左右の躯体が揺れ動いた場合に、前記中央目地カバーが上方へせり上がるので、破損することなく揺れ動きを吸収できる。
（３）中央目地カバーと一対の端部目地カバーの当接部位には支持プレートが設けられているので、人等が通行しても中央目地カバーや一対の端部目地カバーが撓むことを防止できる。
（４）請求項２に記載の発明においては、前記（１）〜（３）と同様な効果が得られると共に、左右の躯体と前記支持プレートの躯体側の端部の間にそれぞれ設けられた一対の支持機構により端部目地カバーが撓むことを防止できる。
（５）請求項３乃至請求項５に記載の各発明においても、前記（１）〜（４）と同様な効果が得られる。
【図面の簡単な説明】
【００１０】
図１乃至図１０は本発明の第１の実施形態を示す説明図である。
図１１乃至図１３は本発明の第２の実施形態を示す説明図である。
【図１】本発明を実施するための第１の形態の床用目地装置の平面図。
【図２】図１の２−２線断面図。
【図３】図１の３−３線断面図。
【図４】中央目地カバーの説明図。
【図５】端部目地カバーの説明図。
【図６】支持プレートの説明図。
【図７】支持機構の説明図。
【図８】躯体が地震によって揺れ動き目地部分が狭くなった状態の動作説明図。
【図９】躯体が地震によって揺れ動き目地部分が広くなった状態の動作説明図。
【図１０】躯体が地震によって異なる前後方向に揺れ動いた状態の動作説明図。
【図１１】本発明を実施するための第２の形態の床用目地装置の平面図。
【図１２】図１１の１２−１２線断面図。
【図１３】図１１の１３−１３線断面図。
【発明を実施するための形態】
【００１１】
以下、図面に示す本発明を実施するための形態により、本発明を詳細に説明する。なお、本明細書では図１を基準として左右方向、前（図面上方）後（図面下方）方向という。また、図２を基準として上（図面上方）下（図面下方）方向という。
【００１２】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
図１乃至図１０に示す本発明を実施するための第１の形態において、１は本実施の形態においては、目地部２を介して設けられた左右の躯体３、４間に設置された床用目地装置である。
【００１３】
この床用目地装置１は、前記一方の躯体３と他方の躯体４の間に設けられた複数の支持部材５と、前記一方の躯体３と他方の躯体４の間に前後方向に複数個設けられたリンク機構６と、該リンク機構６の中央枢支部７に上下方向に移動可能に取り付けられ、目地部２の一部を覆う中央目地カバー８と、前記リンク機構６の一対の端部枢支部９に一端部がそれぞれ取り付けられた端部目地カバー１０と、前記中央目地カバー８と一対の端部目地カバー１０の当接部位にそれぞれ設けられた支持プレート１１と、前記左右の躯体３、４と、前記支持プレートの躯体側の端部の間にそれぞれ設けられた一対の支持機構１２とで構成されている。
【００１４】
複数の支持部材５は、角パイプ状の支持筒１３と、該角パイプ状の支持筒１３に左右方向にスライド可能に挿入される支持アーム１４とで構成されている。この複数の支持部材５は、角パイプ状の支持筒１３の上面がそれぞれ同じ高さになるように、前後方向に複数個設けられている。複数の支持部材５は、少なくとも４つ以上設けることが望ましく、本実施の形態においては、４つの支持部材５が目地部２の前後方向に設けられている。
また、この複数の支持部材５は、隣り合う支持部材５が左右逆向きになるように左右の躯体３、４に取り付けられている。
【００１５】
前記支持筒１３及び支持アーム１４は、左右の躯体にその取付端部１３ａ、１４ａが上下方向及び前後方向に回転可能に取り付けられている。
前記支持筒１３の突出端部１３ｂ側の内壁面の上部及び前記支持アーム１４の突出端部１４ｂの底面には、支持アーム１４がスムーズにスライドできるよう、スライドローラー１５がそれぞれ設けられている。
【００１６】
前記支持筒１３の突出端部１３ｂは、本実施の形態においては、目地部２の２／３程度の長さに形成されている。支持筒１３の長さは、目地部２の中央部よりも反対側の躯体側へ突出し、かつ、地震によって目地部２が狭くなるように左右の躯体３、４が揺れ動いた場合に、反対側の躯体等に衝突しない長さであればよい。
【００１７】
より好ましくは、地震によって目地部２が広くなるように左右の躯体３、４が揺れ動いた場合にも、突出端部１３ｂが目地部２の目地部２の中央部よりも反対側の躯体側に位置し、かつ、地震によって目地部２が狭くなるように左右の躯体３、４が揺れ動いた場合に、反対側の躯体等に衝突しない長さに形成する。
【００１８】
このような長さに形成することにより、通常時（地震による左右の躯体３、４の揺れ動きがない状態）だけではなく、地震によってどのように左右の躯体３、４が揺れ動いても、後述する中央バー部材１７を支持筒１３によって支持することができる。このような長さにすべく、本実施の形態においては、支持筒１３の長さを目地部２の２／３程度の長さに形成している。
【００１９】
この支持部材５は、本実施の形態においては、支持筒１３及び支持アーム１４とで構成されているが、支持筒１３と支持アーム１４の間に突出端部１３ｂ、１４ｂが挿入される角パイプ状の中間筒を設けてもよい。この場合であっても、支持筒１３の長さは、目地部２の中央部よりも反対側の躯体側へ突出し、かつ、地震によって目地部２が狭くなるように左右の躯体３、４が揺れ動いた場合に、反対側の躯体等に衝突しない長さであれることが望ましい。
【００２０】
リンク機構６は、パンタグラフ状のリンク機構を用いており、本実施の形態においては、５つの枢支部を有している。この枢支部のうち、略中央に位置する枢支部を中央枢支部７、左右端部の枢支部を一対の端部枢支部９、中央枢支部７と端部枢支部９の間に位置する枢支部を一対の中間枢支部１６としている。
【００２１】
なお、本発明のリンク機構６は枢支部が５つのものに限られない。
リンク機構６は前後方向に複数個設けられ、本実施の形態においては、前後方向に２つ設けられている。
このリンク機構６は左右の躯体３、４に上下方向及び前後方向に回動可能に設けられている。
【００２２】
中央枢支部７の下側には、中央枢支部７に枢支されると共に、前記支持部材５の支持筒１３にその底面が支持され、前後方向に延びる中央バー部材１７が設けられている。
なお、前述したように支持筒１３の長さは、本実施の形態においては、目地部２の２／３程度の長さとし、複数の支持部材５は、隣り合う支持部材５が左右逆向きになるように設けているので、中央バー部材１７は、複数の支持筒１３に、その底面が確実に支持される。
【００２３】
この中央バー部材１７には、中央目地カバー８が上下方向に移動可能に取り付けられている。すなわち、リンク機構６の中央枢支部７に中央バー部材１７を介して中央目地カバー８が上下方向に移動可能に取り付けられている。
【００２４】
この中央目地カバー８は、図４に示すように、本実施の形態においては、正面視略Ｔ字状の金属板で、取付端部８ａ（Ｔ字状の下端部）には、中央目地カバー８に形成された挿入孔２８に挿入される取付ピン２９が設けられている。中央目地カバー８の挿入孔２８に挿入される取付ピン２９を挿入し、中央目地カバー８を中央バー部材１７に取付けることにより、中央目地カバー８が上下方向に移動可能となる。この挿入孔２８の深さ及び取付ピン２９の長さは、中央目地カバー８が一対の端部目地カバー１０に乗り上げても、挿入状態が解除されない程度の寸法に形成される。
【００２５】
目地部２の左右方向の略半分を覆う寸法に形成されており、左右の突出端部には、乗り上げ傾斜面２１が形成されている。
また、中央目地カバー８には、前記リンク機構６が通過することができるリンク機構通過孔１９が形成されている。
【００２６】
前記端部枢支部９の下側には、一対の端部枢支部９にそれぞれ枢支されると共に、前記支持部材５の支持筒１３にその底面が支持され、前後方向に延びる一対の端部バー部材２０が設けられている。この一対の端部バー部材２０には、一対の端部目地カバー１０がそれぞれ取り付けられている。
【００２７】
すなわち、リンク機構６の一対の端部枢支部９に一対の端部バー部材２０を介して、一対の端部目地カバー１０が上それぞれ取り付けられている。
【００２８】
この一対の端部目地カバー１０は、図５に示すように、本実施の形態においては、正面視略コ字状（逆コ字状）の金属板で、本実施の形態においては、突出端部が前記中央目地カバー８の突出端部と当接状態となっており、一対の端部目地カバー１０は目地部２の１／４をそれぞれ覆う状態となっている。
この中央目地カバー８と一対の端部目地カバー１０の上面は略フラット水平状態となって目地部２を塞いでいる。
【００２９】
一対の端部目地カバー１０の突出端部には、前記乗り上げ傾斜面２１に当接するような押し上げ傾斜面２１がそれぞれ形成されている。目地部２が狭くなった場合には、この押し上げ傾斜面２１を前記中央目地カバー８の乗り上げ傾斜面２１が乗り上げ、中央目地カバー８が上方へ移動するものである。
【００３０】
この一対の端部目地カバー１０にもリンク機構通過孔１９が形成されている。
中央目地カバー８と一対の端部目地カバー１０の当接する位置は、本実施の形態においては、前記リンク機構６の一対の中間枢支部１６の上部に位置する。
中央目地カバー８と一対の端部目地カバー１０の当接する位置には、支持プレート１１が設けられている。
【００３１】
前記リンク機構６の一対の中間枢支部１６の下部には、一対の中間枢支部１６にそれぞれ枢支ピン１６ａを介して枢支されると共に、前記支持部材５の支持筒１３にその底面が支持され、前後方向に延びる一対の中間バー部材２２が設けられている。
前記一対の支持プレート１１は、図６に示すように本実施の形態においては、下向きに開口する略コ字状で前後方向に延びる金属板で、その略中央部は一対の中間バー部材２２に枢支ピン２２ａを介してそれぞれ枢支されている。
【００３２】
また、一対の支持プレート１１の両端部（両下端部）には、支持バー２３が固定され、この支持バー２３は前記前記支持部材５の支持筒１３にその底面が支持されている。この一対の支持プレート１１は、その上面で中央目地カバー８と一対の端部目地カバー１０の端部の底面を支持しており、中央目地カバー８や一対の端部目地カバー１０の端部付近に人等が乗った場合等に、中央目地カバー８や一対の端部目地カバー１０が撓むのを防止している。
【００３３】
前記一対の支持機構１２は、図７に示すように、本実施の形態においては、前記一方の躯体３にその一端部が取り付けられ、その他端部が前記支持プレート１１の一方の躯体３側の端部に取り付けられた一方のリンク部材２４と、該一方のリンク部材２４の中央枢支部２４ａに枢支され、前記支持部材５に底面が支持される一方の支持ローラー用バー部材２５と、該一方の支持ローラー用バー部材２５に固定され、その上端部が前記一方の端部目地カバー１０の底面を支持する一方の支持ローラー２６と、前記他方の躯体４にその一端部が取り付けられ、その他端部が前記支持プレート１１の他方の躯体側の端部に取り付けられた他方のリンク部材２４と、該他方のリンク部材の中央枢支部２４ａに枢支され、前記支持部材５に底面が支持される他方の支持ローラー用バー部材２５と、該他方の支持ローラー用バー部材２５に固定され、その上端部が前記他方の端部目地カバーの底面を支持する他方の支持ローラー２６とで構成されている。
【００３４】
左右のリンク部材２４は、前後方向に複数個設けられており、その一端部が一対の端部目地カバー１０の略直立する側面を通過し、左右の躯体３、４にそれぞれ取り付けられる。
【００３５】
そのため、一対の端部目地カバー１０のリンク部材２４が位置する部位にはリンク部材通過孔２７が形成されている。
【００３６】
左右の支持ローラー２６も、リンク部材２４及びリンク機構６が位置する部位を除き、前後方向に複数個設けられている。
【００３７】
なお、リンク部材２４は端部目地カバー１０の略直立する側面にその一端部をそれぞれ取付けても良い。この場合、端部目地カバー１０にリンク部材通過孔２７を形成しなくてよい。
【００３８】
リンク部材２４によって、一対の支持ローラー用バー部材２５及び支持ローラー２６は、端部目地カバーの躯体側端部と支持プレートの躯体側端部の中間に常に位置するので、端部目地カバー１０が撓まないようにその底面を支持することができる。
【００３９】
このリンク部材２４はその両端が上下方向及び前後方向に回動可能に設けられている。地震によって目地部２が狭くなった場合には、図８に示すように、中央目地カバー８の乗り上げ傾斜面２１が一対の端部目地カバー１０の押し上げ傾斜面２１に乗り上げ、せり上がるように上方へ移動し、その揺れ動きを吸収する。
【００４０】
目地部２が通常の広さに戻ると、中央目地カバー８は自重により、下方へ移動し、通常の状態に復帰する。
【００４１】
地震によって目地部２が広くなった場合には、図９に示すように、中央目地カバー８と一対の端部目地カバー１０が離間しその揺れ動きを吸収する。この時、支持プレート１１が中央目地カバー８と一対の端部目地カバー１０の間に位置するため、中央目地カバー８と一対の端部目地カバー１０の間に隙間が生じることを防止できる。
【００４２】
地震によって左右の躯体３、４が異なる前後方向に揺れ動いた場合には、図１０に示すように、支持部材５、リンク機構６及びリンク部材２４が前後方向に回動し、その揺れ動きを吸収する。
【００４３】
なお、図示しないが、支持部材５やリンク機構６、リンク部材２４は上下方向に回動可能に設けられているので、左右の躯体３、４のいずれかが不同沈下した場合でも破損することなく追従することができる。
【００４４】
[発明を実施するための異なる形態]
次に、図１１乃至図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００４５】
図１１乃至図１３に示す本発明を実施するための第２の形態において、リンク機構６よりも上方に、中央バー部材１７、端部バー部材２０、中間バー部材２２、支持バー２３が位置するように設けるとともに、リンク機構通過孔１９やリンク部材通過孔２７を有しない中央目地カバー８Ａ、端部目地カバー１０Ａ、支持プレート１１Ａを用いた点で、このような目地装置１Ａにしても、前記本発明を実施するための第１の形態と同様の作用効果を得ることができる。
【００４６】
なお、本実施の形態においては、リンク部材２４は端部目地カバー１０Ａの内側側面と支持プレート１１Ａの側面間に設けられている。
【産業上の利用可能性】
【００４７】
本発明は目地装置を製造する産業で利用される。
【符号の説明】
【００４８】
１、１Ａ：床用目地装置、            ２：目地部、
３：一方の躯体、                    ４：他方の躯体、
５：支持部材、                      ６：リンク機構、
７：中央枢支部、                    ８、８Ａ：中央目地カバー、
９：端部枢支部、                    １０、１０Ａ：端部目地カバー、
１１、１１Ａ：支持プレート、        １２：支持機構、
１３：支持筒、                      １４：支持アーム、
１５：スライドローラー、            １６：中間枢支部、
１７：中央バー部材、                １８：乗り上げ傾斜面、
１９：リンク機構通過孔、            ２０：端部バー部材、
２１：押し上げ傾斜面、              ２２：中間バー部材、
２３：支持バー、                    ２４：リンク部材、
２５：支持ローラー用バー部材、      ２６：支持ローラー、
２７：リンク部材通過孔、            ２８：挿入孔、
２９：取付ピン。
【図１】
0006307559.tif 000002
【図２】
0006307559.tif 000003
【図３】
0006307559.tif 000004
【図４】
0006307559.tif 000005
【図５】
0006307559.tif 000006
【図６】
0006307559.tif 000007
【図７】
0006307559.tif 000008
【図８】
0006307559.tif 000009
【図９】
0006307559.tif 000010
【図１０】
0006307559.tif 000011
【図１１】
0006307559.tif 000012
【図１２】
0006307559.tif 000013
【図１３】
0006307559.tif 000014